(57)【要約】  【課題】  設備が整っていない球場においても、複数のバットとヘルメットとを、互いに干渉させることなくまとめて整然と収納することができ、運搬可能なものとしたバット・ヘルメットストッカーを提供する。  【解決手段】  左右一対の主脚２１,２１と、上横枠２２および下横枠２３とで主枠部２を形成し、下横枠２３に多数のポット部２４,２４,……が串刺し状に配設され、各主脚２１,２１上端寄りに枢着部４,４を介して開脚可能となる支脚３１,３１を連結した上、上端寄りを横桟３２によって連結し、副枠部３となしてバットスタンド１とする一方、該バットスタンド１上端寄り適所に左右一対の主杆７,７とバイザー止め８,８とからなるヘルメットホルダー６が着脱自在に組み合わされたバット・ヘルメットストッカーである。【選択図】    図５
2006325789.tif 000002
【特許請求の範囲】
【請求項１】
左右一対の主脚と、それらを横に連結する上横枠および下横枠とで主枠部を形成した上、該主枠部下横枠には多数のポット部が串刺し状に配設されたものにすると共に、該主枠部の各主脚上端寄りには、夫々同所を枢着部として前方所定角度範囲に渡って開脚可能となるようにした支脚を連結した上、少なくとも夫々の上端寄り適所を横桟によって連結、一体化して副枠部となしてバットスタンドとする一方、該バットスタンドには、その主枠部上端または上端寄り適所を着脱自在な支持部として斜設配置可能とする左右一対の主杆と、それら主杆に架け渡され、斜設状に上下に平行した状態でヘルメットのバイザーを挟着して仮着状に留め置くバイザー止めとからなるヘルメットホルダーが、着脱自在に組み合わされてなるものとしたことを特徴とするバット・ヘルメットストッカー。
【請求項２】
所定間隔を置いた左右一対の主脚と、それらの上端間を連結する上横枠および同下端から夫々所定距離上位間を連結する下横枠とで主枠部を形成した上、該主枠部下横枠には、バット一端側を上方から差込み、受支するようにした多数のポット部が配設されたものにすると共に、該主枠部の各主脚上端寄りには、夫々同所を枢着部として前方所定角度範囲に渡って開脚可能となるようにした支脚を連結した上、少なくとも夫々の上端寄り適所を、バット他端寄り適所を添設状に支承する横桟によって連結、一体化して副枠部とすることによりバットスタンドとする一方、該バットスタンドには、その主枠部上端または上端寄り適所を着脱自在な支持部として斜設配置可能とする左右一対の主杆と、それら斜設状となる主杆に架け渡され、斜設状に上下に平行した状態でヘルメットのバイザーを挟着して仮着状に留め置くバイザー止めとからなるヘルメットホルダーが、着脱自在に組み合わされてなるものとしたことを特徴とするバット・ヘルメットストッカー。
【請求項３】
所定間隔を置いた左右一対の主脚と、それらの上端間を連結する上横枠および同下端から夫々所定距離上位間を連結する下横枠とで主枠部を形成した上、該主枠部下横枠には、バット一端側を上方から差込み、受支するようにした多数のポット部が串刺し状に配設されたものにすると共に、該主枠部の各主脚上端寄りには、夫々同所を枢着部として前方所定角度範囲に渡って開脚可能となるようにした支脚を連結した上、少なくとも夫々の上端寄り適所を、バット他端寄り適所を添設状に支承する横桟によって連結、一体化してなる副枠部としてバットスタンドとする一方、該バットスタンドには、その主枠部上端または上端寄り適所を着脱自在な支持部として斜設配置可能とする左右一対の主杆と、それら斜設状となる主杆に架け渡され、斜設状に上下に平行することによってヘルメットのバイザーを挟着して仮着状に留め置くことができ、左右の長さ調節自在としたバイザー止めとからなるヘルメットホルダーが、着脱自在に組み合わされてなるものとしたことを特徴とするバット・ヘルメットストッカー。
【請求項４】
バットスタンドの副枠部は、横桟の下に、ヘルメットホルダーのバイザー止めと同等かそれに相当するものを組み込んでなるものとした、請求項１ないし３何れか一項記載のバット・ヘルメットストッカー。
【請求項５】
バットスタンドの副枠部に配される横桟は、少なくとも上側面が、バットのグリップ部分を横滑りしないよう係合、支持可能な形状、寸法とした正面波型状または鋸刃状等の凹凸形状としてなるものとした、請求項１ないし４何れか一項記載のバット・ヘルメットストッカー。
【請求項６】
バットスタンドの副枠部に配される横桟は、少なくともバットが添設状となる箇所を弾性被覆処理されてなるものとした、請求項１ないし５何れか一項記載のバット・ヘルメットストッカー。
【請求項７】
ヘルメットホルダーのバイザー止めは、一対の平行棒によって形成されてなるものとした、請求項１ないし６何れか一項記載のバット・ヘルメットストッカー。
【請求項８】
ヘルメットホルダーのバイザー止めは、一枚の薄板の要所要所がバイザーを挿通可能に刳り貫いて形成されてなるものとした、請求項１ないし６何れか記載のバット・ヘルメットストッカー。
【発明の詳細な説明】
【技術分野】
【０００１】
この発明は、野球およびソフトボールなど球技に使用するバットとヘルメットを一つのストッカーにまとめて収納できるバット・ヘルメットストッカーに関連するあらゆる分野をその技術分野とするものであって、野球およびソフトボールの技術分野をはじめ、当該収納設備を製造、販売する家具類の分野から、その家具等の収納設備に必要な資材、部品を提供する分野、それら資材、部品の加工に必要な機械、工具類を提供する分野、またそれら資材や機械装置、部品類に必要な素材、例えば木材、合板、プラスチック、各種金属材料を提供する分野、それらに組み込まれる電子分品やそれらを集積した制御機器の分野、各種計測器の分野、加工機械を動かす動力機械の分野、そのエネルギーとなる電力やエネルギー源である電気、オイルの分野といった一般的に産業機械として総称される分野に包含される分野、更には、それら工作機械を試験、展示、販売、輸出入、ならびに使用する分野、将又、それら工作機械の作動に伴って発生する切削屑を回収、運搬する回収、輸送の分野、切削屑を効率的に再生利用するリサイクル分野、あるいは現時点で想定できない新たな分野までと、関係しない技術分野はない程である。                                                  
【背景技術】
【０００２】
（着眼点）
野球やソフトボールは、オリンピック種目にも採用され、世界的にも幅広い競技者、愛好者を抱えるスポーツであり、特に、我が国では、アメリカに次いで盛んであって、プロ競技をはじめ、学生や職場、町の愛好会等、全国至る所にチームが存在する最も競技人口の多い国民的スポーツとなっており、競技場である球場も、ドーム球場のような近代的設備の整えられたものから、河川敷等を含む県や市町村等自治体で管理する球場、空き地、公園等といった地域によって管理されているような球場に至るまで、様々な球場が存在している状態であり、したがって球場としての設備の充実度にも当然著しい差があり、利用者は、夫々用意された設備に甘んじているのが現状である。
【０００３】
プロや公式な大会に使用されるような設備の整った球場では、ダックアウトが設けられていて、中にはバットやヘルメットを収納するストッカーまで常備されているが、そのような球場は極一部に過ぎず、職場野球やモーニング野球、草野球等、最も競技人口が多い一般の人々が参加するチームで利用できるような球場やグラウンド等の場合には、精々可搬式のベンチやバットケースが用いられる程度であって、チームあるいは競技者個人として管理しなければならないグラブやバット、ヘルメット、ボール等といった用具類を整理、整頓しておくための設備は皆無であるといってよく、したがって個人所有のグラブやミット類は各人が、ベンチや持参したバック上等に置く等して一応管理されるから別としても、チームで共有となるグラブやミット類はそこら辺りに散在しがちとなり、ましてや、大抵がチームで共有となることが多いバットやヘルメットに至っては、当該チームのベンチや適宜な地面上に一応まとめて置かれるが、グランドの砂埃に晒されることとなって衛生的な管理が全くなされていないのが現状である。
【０００４】
（従来の技術）
こうした弊害を解消しようとするものとして、実公平７-３７６４９号公報の「折畳式バットスタンド」が開発済みとなっていて、折畳み可能な角型籠状部の上面に複数本のバットを整理、挿入可能とする格子状の仕切枠を設け、同上面周囲縁部に沿って複数のヘルメット掛着用のフックを外側に向けて突出させ、左右側面に一対の車輪を軸着したものとし、折り畳むことによって収納や球場までの搬送を容易にし、球場内では角型籠状に展開させて車輪を利用して運搬、移動させてチームベンチの近くに設置し、上面から複数本のバットを挿し込み状に収納、整理可能とすると共に、複数個のヘルメットを角型籠状部上面の周囲に掛着状に装着、整理できるようにするものとなっている。
【０００５】
こうした従来型の「折畳式バットスタンド」は、複数のバットやヘルメットを地面に直接触れさせないよう、衛生的に保管できるものとなっているが、球場までの輸送性を考慮して比較的小型のものに設定されているため、ヘルメットは必ずしも出場選手全員分を掛着、整理できるものとはなっておらず、ヘルメットを共有するチームにとってのみ十分な装備となっているものにすぎないものであり、結局のところ必要な場合には、同様のバットスタンドを２基以上用意して試合に臨まなければならないものであった。                              
【特許文献１】（１）実公平７-３７６４９号公報
【発明の開示】
【発明が解決しようとする課題】
【０００６】
（問題意識）
このように、従前までに実用化されていたバットスタンドは、折畳式の構造を採用する等、携行性を重視した設計思想に基づくものであり、細長い形状で比較的整理し易いバットについては十分な収納力を発揮するものとなっていたが、比較的容積が大きく整理し難いヘルメットに関しては、十分な収納性を確保することができず、少なくとも９人以上の選手が不可欠な、野球やソフトボールチームが利用するには、不十分な装備のものが殆どであり、しかもバットスタンドの上面開口縁を取り巻くようにヘルメットを掛着するものにあっては、バットを出し入れする際に、ヘルメットに干渉して傷つけたり、落下させてしまったりする虞があるばかりでなく、収納および取り出しの度毎に、砂塵の付着したバットがヘルメット上を移動することとなってしまい、ヘルメットを衛生的に保つことができないという欠点をもつものであり、バットやヘルメットの保護、およびそれらを取り扱う選手の衛生や安全性という観点には、全くと言って良いほど関心が向けられていないものが多く、市場のニーズに十分に応える商品が未だに提供されていないと言わざるを得ないのが現状であった。
【０００７】
（発明の目的）
この発明は、以上のような実情に鑑み、主としてダックアウト等が設置されていず、設備が整っていない球場においても、複数のバットとヘルメットとを、互いに干渉させることのないよう纏めて整然、収納することができるストッカーを、運搬可能なコンパクトな構成のものであって、どのような場所にでも簡単に携行、使用できるようにする有効な手段はないものかとの判断から、逸早くその開発、研究に着手し、長期に渡る試行錯誤と幾多の試作、実験とを繰り返してきた結果、今回、遂に新規な構造からなるバット・ヘルメットストッカーを完成することに成功したものであり、以下では、図面に示すこの発明を代表する幾つかの実施例と共に、その構成を詳述していくこととする。                                    
【課題を解決するための手段】
【０００８】
（発明の構成）
図面に示すこの発明を代表する実施例からも明確に理解されるように、この発明のバット・ヘルメットストッカーは、基本的に次のような構成から成り立っている。
即ち、左右一対の主脚と、それらを横に連結する上横枠および下横枠とで主枠部を形成した上、該主枠部下横枠には多数のポット部が串刺し状に配設されたものにすると共に、該主枠部の各主脚上端寄りには、夫々同所を枢着部として前方所定角度範囲に渡って開脚可能となるようにした支脚を連結した上、少なくとも夫々の上端寄り適所を横桟によって連結、一体化して副枠部となしてバットスタンドとする一方、該バットスタンドには、その主枠部上端または上端寄り適所を着脱自在な支持部として斜設配置可能とする左右一対の主杆と、それら主杆に架け渡され、斜設状に上下に平行した状態でヘルメットのバイザーを挟着して仮着状に留め置くバイザー止めとからなるヘルメットホルダーが、着脱自在に組み合わされた構成を要旨とするバット・ヘルメットストッカーである。
【０００９】
この基本的な構成からなるバット・ヘルメットストッカーを、より具体的な構成のものとして示すと、所定間隔を置いた左右一対の主脚と、それらの上端間を連結する上横枠および同下端から夫々所定距離上位間を連結する下横枠とで主枠部を形成した上、該主枠部下横枠には、バット一端側を上方から差込み、受支するようにした多数のポット部が配設されたものにすると共に、該主枠部の各主脚上端寄りには、夫々同所を枢着部として前方所定角度範囲に渡って開脚可能となるようにした支脚を連結した上、少なくとも夫々の上端寄り適所を、バット他端寄り適所を添設状に支承する横桟によって連結、一体化して副枠部とすることによりバットスタンドとする一方、該バットスタンドには、その主枠部上端または上端寄り適所を着脱自在な支持部として斜設配置可能とする左右一対の主杆と、それら斜設状となる主杆に架け渡され、斜設状に上下に平行した状態でヘルメットのバイザーを挟着して仮着状に留め置くバイザー止めとからなるヘルメットホルダーが、着脱自在に組み合わされた構成のバット・ヘルメットストッカーであるということができる。
【００１０】
そして、この発明によるバット・ヘルメットストッカーの最も望ましい構成によるものとしては、所定間隔を置いた左右一対の主脚と、それらの上端間を連結する上横枠および同下端から夫々所定距離上位間を連結する下横枠とで主枠部を形成した上、該主枠部下横枠には、バット一端側を上方から差込み、受支するようにした多数のポット部が串刺し状に配設されたものにすると共に、該主枠部の各主脚上端寄りには、夫々同所を枢着部として前方所定角度範囲に渡って開脚可能となるようにした支脚を連結した上、少なくとも夫々の上端寄り適所を、バット他端寄り適所を添設状に支承する横桟によって連結、一体化してなる副枠部としてバットスタンドとする一方、該バットスタンドには、その主枠部上端または上端寄り適所を着脱自在な支持部として斜設配置可能とする左右一対の主杆と、それら斜設状となる主杆に架け渡され、斜設状に上下に平行することによってヘルメットのバイザーを挟着して仮着状に留め置くことができ、左右の長さ調節自在としたバイザー止めとからなるヘルメットホルダーが、着脱自在に組み合わされたバット・ヘルメットストッカーであるということができる。                                                        
【発明の効果】
【００１１】
以上のとおり、この発明のバット・ヘルメットストッカーによれば、ダックアウト等の設備が整っていない球場やグラウンド等においても、複数のバットとヘルメットとを、互いに干渉させることなく纏めて、整然と収納することができ、しかも運搬の際には簡便に分解、折り畳みすることによってコンパクト化して、どのような場所にでも簡単に携行、使用できるものとなる上、バットホルダーの上部にヘルメットホルダーを配置するものとしたことにより、特に十分な数のヘルメットを埃の着きにくい高所に保持させることが可能となり、衛生的でバットとの干渉を確実に防止できるよう整理、保管できるものになるという秀れた特徴が得られるものである。                                                          
【発明を実施するための最良の形態】
【００１２】
上記したとおりの構成からなるこの発明の実施に際し、その最良もしくは望ましい形態について説明を加えることにする。
バットスタンドは、携行に適する状態に折畳み可能であって開脚状に展開させることにより、当該バット・ヘルメットストッカーを安定に自立可能とするものであって、しかもヘルメットホルダーよりも下側となる適所に、複数本のバットを簡便に収納および取り出しできるよう整理、保持可能とするものとなり、その上側適所にヘルメットホルダーを着脱自在に組み合わせ可能とする支持部を形成するという機能を果たすものであり、主枠部や副枠部等の主要箇所を、携行するのに好適な金属もしくは比較的硬質な合成樹脂等からなる棒またはパイプ製とすべきであって、主枠部と副枠部とを開脚可能とすべき箇所には、十分な連結強度と良好な開閉作業性とを確保可能なヒンジ、蝶番、軸着機構、リンク機構等、様々なものの中から適宜、選択した枢着部を採用することが可能であり、特にバットと接触する部位には、面取りを施したり比較的軟質な合成樹脂や天然ゴム等で被覆する等してバットを傷付きから保護できるものとするのが望ましい。
【００１３】
主枠部は、副枠部と共同してバットスタンドを展開させたときに自立可能とし、コンパクト化して搬送容易なものとするよう、副枠部に対して折畳み可能とするものとなり、下側適所に逆さまにした複数本のバットヘッド部分を、個別に抱持可能とし、上側適所にヘルメットホルダーを所望の傾斜姿勢に支持、脱着可能とするという機能を果たし、左右一対の主脚を有するものとしなければならず、これら左右主脚の上端側間に上横枠を、下端側間に下横枠を夫々横架状に組み合わせたものとし、下横枠には複数のポット部を配列状に設けたものとすべきであり、各部に使用される棒またはパイプ材は、塗装や樹脂被膜、メッキ等の防錆処理を施した鋼、ステンレス鋼、アルミニウム等の金属製、あるいは塩化ビニール、ポリカーボネート、炭素繊維強化樹脂、ガラス繊維強化樹脂、ＡＢＳ等の各種合成樹脂製とすることが可能である。
【００１４】
ポット部は、逆さまにしたバットのヘッド部分周囲を、下側から包囲して下横枠付近に留め、ヘッド部分を上下方向に向けて簡便に装着、引き抜き可能とするようにして脱落不能に保持可能とする機能を果たすものであり、各バットの個々のヘッド部分を個別に保持可能であって下横枠に沿って整然と配列状に配置されたものとしなければならず、複数の桶状または升状のものか、あるいはそれらを一体化するか、格子状に仕切られた枠状のもの等とすることが可能であり、後述する実施例中にも示すように、左右一列状に配列させたものとすることができる外、左右一列状のものを前後、上下あるいは斜めに複数列配置させたものとすることが可能であり、その際には、副枠部側にあってバットグリップ部分を支持可能とする横桟もまた、設置列数に合わせて上下複数本に増設したものとするのが望ましく、下横枠への取付けもまた、後述する実施例のように回動可能な状態に串刺し状としたものの外、熔接、蝋付け、溶着、接着、嵌着、ボルト・ナット、ビス等のあらゆる取付け構造を用いることが可能な外、下横枠と一体化成型されたものとすることができる。
【００１５】
支持部は、バットスタンドの上部にヘルメットホルダーを、所定傾斜状姿勢に支持可能とすると共に、ヘルメットホルダーを分解もしくは折畳み自在に連結可能とする機能を果たすものであり、収納能力を満たす数のヘルメットを装着したヘルメットホルダーを支持するに十分な強度を有すると共に、バットスタンドに整理、収納され、装着と収納とが繰り返えされる複数本のバット夫々に干渉しないようヘルメットを整理、保持可能とするよう、ヘルメットホルダーを所望する高さ位置に、ヘルメットの着脱を容易にする姿勢で支持可能とするものとしなければならず、ヘルメットホルダーの適所を連結、支持可能とする形状の連結機構、係合支持機構、鞘と棒等からなる挿込み構造、噛合型レール機構等とすることが可能で有る外、ボルト・ナット、蝶ネジ、ボタン操作によってロックとアンロックとの着脱操作を可能とした着脱構造等、様々な形態のものとすることが可能である。
【００１６】
副枠部は、主枠部と共同してバットスタンドを展開させたときに自立可能とし、搬送を容易にするよう、主枠部に対して折畳み可能であり、上側適所に逆さまにしてヘッド部分を主枠部の適所に保持された複数本のバットにおけるグリップ部分を、少なくとも下側から支持可能とする機能を果たすものであり、主枠部と略同等の強度を有し、左右一対の支脚の少なくとも上側適所間に横桟を横架状に組み合わせ、左右支脚の各上端付近を、夫々対応する左右主脚の上側適所に枢着部を介して開閉、自在に連結したものとしなければならず、製造効率やメンテナン作業製等を考慮すると前記主枠部と同様の材質からなるものとすべきであり、横桟にはバットグリップ部分の傷防止のための比較的軟質な合成樹脂、発泡合成樹脂、天然ゴム等の樹脂皮膜を施したものとするのが望ましく、横桟の全体もしくは少なくとも上側面に、左右方向に沿ってバットグリップ部分の滑り移動や脱落を阻止可能とする、波型または鋸刃型の凹凸形状部分を形成したものとすることが可能である外、バットの収納性や取出し性を高めるために、バットグリップ部分の凡そ１本分の載置幅範囲置き毎に、正面Ｍ字型やＹ字型等に上向き突出させた保持部分を形成し、隣接するバットグリップ部分同士を交互に上下配置させるよう、支持可能なものとすること等が可能であり、剛性を高めるよう左右支脚の下端間に下横桟を掛け渡したものとすることができる。
【００１７】
主枠部と副枠部との間には、開閉操作用の枢着部に関連して、その開閉操作範囲の最大位置を規制可能とする開脚規制部を設けたものとするのが望ましく、その開脚規制部について具体例を挙げて示すと、後述する実施例にも示すように各主脚部の中途適所とこれに対峙する支脚中途適所との間に所定長さのチェーンやワイヤー、紐等を掛け渡したものや、同様の箇所間に一端を着脱可能とするか、もしくは中途部を折畳み自在とした連結棒等とすることが可能であって、連結長さを適宜張設して開脚角度を調節可能なものとすることができる外、枢着部それ自体に開脚角度を規制可能とする規制用ブロック部分を形成したもの等とすることが可能であり、実質的に枢着部の開脚角度を適正に規制できるものとすれば足りるものである。
【００１８】
ヘルメットホルダーは、ヘルメットを着用しない時に、砂塵等の埃が付着しない程度の高さであってしかもバットの収納、取出しの際にも干渉しない位置に、不用意に脱落しないよう整然と留め置き、着用する場合には目的のヘルメットを極めて容易に取り出すこができるようにするという機能を果たすものであり、収容能力に応じた複数個のヘルメットを整理、保管するに十分な強度を有するものとしなければならず、ヘルメットを傷付けずに保持可能とする保護機能を有するものとすべきであって、バットスタンドの上側適所に設けられた支持部に対し脱着自在に装着し、上端側を後方に向けて傾斜した姿勢に立設、可能なものとするのが望ましく、後述する実施例にも示すように、下端側をバットスタンドの支持部に装着可能な左右主杆と、それら左右主杆に一体化された一対の平行棒からなるバイザー止めとからなるものとすることができ、さらに一対の平行棒からなるバイザー止めを、上下に適宜間隔を隔てて複数段設けたものとすることができる上、これらバイザー止めの左右に延伸可能な平行棒を装着したものとすることが可能であり、あるいはまた、バイザー止めを、適宜間隔を隔てた要所要所に、ヘルメットのバイザー部分を挿通可能とする刳り貫き部分か、スリーブ状部分等を形成した一枚の薄板からなるものとすること等が可能である。
【００１９】
主杆は、バイザー止めを十分な強度で支持すると共に、バットスタンドの支持部に対して着脱自在に装着可能、もしくは折畳み可能なものとし、バットスタンド上に装着したときにバイザー止めの上端側を後方に向けて傾斜状の姿勢に支持可能とする機能を果たすものであり、収容能力に応じた複数個のヘルメットを保持したバイザー止めを、十分な強度で支持できる強度を有するものとしなければならず、生産性やメンテナンス性を考慮すると、バットスタンドの主要部分と同じ素材から形成するのが望ましく、後述する実施例に示すように左右一対からなり、各下端側には支持部に掛着可能な鉤型の係合部を形成したものとし、上側間にバイザー止めを掛け渡すように一体化したものとすることができる。
【００２０】
バイザー止めは、複数個のヘルメットのバイザー部分を保持して、それらヘルメットを整理、収納可能とすると共に、それら複数個のヘルメットを含む荷重を主杆に伝えることによって支持可能とする機能を果たし、個々のヘルメットを安定に支持でき、しかも簡便に着脱できるものとしなければならず、後述する実施例に示すように、一対の平行棒からなり、上下の平行棒間にヘルメットのバイザー部分を装着して保持させるものとすることが可能であり、これら一対をなす平行棒の左右方向に渡る互いの対峙周壁面に沿って、バイザー部の上下面形状に沿った凹凸波形状を刻設もしくは突設あるいは折曲したものとすることが可能で有る外、一対の平行パイプを用い、左右端の夫々に平行棒を進退自在に装着して延伸可能なものとすることができ、あるいは、左右の主杆に掛け渡した横棒の中途複数箇所を、バイザー部分の断面形状を囲み、保持可能な枠型形状に折曲したものとすることが可能である。
【００２１】
その外にもバイザー止めは、後述する実施例にも示すように、適宜間隔を隔てた要所要所に、ヘルメットのバイザー部分を挿通可能とする刳り貫き部分か、スリーブ状部分等を形成した一枚の薄板からなるものとすることが可能であって、さらに刳り貫き部分以外の薄板面に様々な表示機能をもたせることも可能であり、例えば各バイザー取り付け部分毎に利用選手の背番号やネームプレート等を表示したり、最上部もしくは中央付近等の適所にチーム名の表示欄を設定すること等が可能である外、表裏面を入れ替え可能として薄板の表面をホームゲーム用のユニホームカラーに、また裏面をアウェーゲーム用のユニホームカラーに着色すること等、使用場面に応じて表裏面を入れ替えて利用できるようにする等、様々なバリエーションを展開させることが可能である。
以下では、図面に示すこの発明を代表する実施例と共に、その構造について詳述することとする。                                                                                          
【実施例１】
【００２２】
図１のバット・ヘルメットストッカーの斜視図に示される事例は、左右一対の主脚２１,２１と、それらを横に連結する上横枠２２および下横枠２３とで主枠部２を形成した上、該主枠部２下横枠２３には多数のポット部２４,２４,……が串刺し状に配設されたものにすると共に、該主枠部２の各主脚２１,２１上端寄りには、夫々同所を枢着部４,４として前方所定角度範囲に渡って開脚可能となるようにした支脚３１,３１を連結した上、少なくとも夫々の上端寄り適所を横桟３２によって連結、一体化して副枠部３となしてバットスタンド１とする一方、該バットスタンド１には、その主枠部２上端または上端寄り適所を着脱自在な支持部５,５として斜設配置可能とする左右一対の主杆７,７と、それら主杆７,７に架け渡され、斜設状に上下に平行した状態でヘルメットＨのバイザーを挟着して仮着状に留め置くバイザー止め８,８とからなるヘルメットホルダー６が、着脱自在に組み合わされた、この発明におけるバット・ヘルメットストッカーにおける代表的な一実施例を示すものである。
【００２３】
バット・ヘルメットストッカーは、その主要部分が自立可能に形成されたバットスタンド１と、その上部に脱着自在に組み合わされたヘルメットホルダー６とから形成され、該バットスタンド１は、各部毎に好適な直径のアルミニウム製パイプを組み合わせて開閉自在に形成された主枠部２と副枠部３とを有するものとなっており、主枠部２は、所定間隔を隔てて配置された左右一対の主脚２１,２１の前方に向けて湾曲された上端間に、直線棒状の上横枠２２が、また、地上面接地側となる下端付近の中途適所間には、同じく直線棒状の下横枠２３が夫々水平状に掛け渡され、各接合部分を熔接によって一体化したものとなっている。
【００２４】
該下横枠２３には、左右主脚２１,２１への熔接による結合の前段階において、収納の対象となるバットＢのヘッド部分の外径寸法（一般に７ｃｍ以下）より僅かに大きな、約８ないし１０ｃｍ程度の内径に設定された短尺パイプからなる複数個のポット部２４,２４,……が、その周壁面中心箇所を直径方向に貫通させ、同下横枠２３の略全長に渡り、串刺し状に装着したものとしている。この実施例では、下横枠２３を丸棒状として各ポット部２４,２４,……が、下横枠２３を軸に回動自在に取り付けられているが、下横枠２３の断面形状を四角形やその外の多角形または異形等に設定することにより、各ポット部２４,２４,……の取付け姿勢を、固定状に設定したものとすることも可能である。
【００２５】
左右主脚２１,２１の各上端側であって前方に湾曲された付近の中途適所における上側（もしくは後側）周壁面には、バットスタンド１を自立させたときに略垂直状の姿勢となるよう設定された棒状体からなり、その上端側中途適所が左右内側に向けて水平状に折曲され、さらに上端が鉛直上方に向けて折曲されたものとしてなる主杆受け５１,５１を立設したことにより、それら主杆受け５１,５１と前記上横枠２２とによって支持部５を形成するものとなっている。
【００２６】
副枠部３は、上端側の中途適所を後方に向けて折曲させた棒状パイプからなる左右一対の支脚３１,３１の、各折曲部分付近となる適所間に略水平状の横桟３２を掛け渡し、熔接によって一体化し、また各支脚３１,３１の下端付近の間にも、剛性を高めるために同様の下横桟３３を掛け渡し結合し、左右各支脚３１,３１の各上端を、前記主枠部２の左右主脚２１,２１の所定高さとなる中途適所前側の周壁面に対して左右方向の水平軸を中心に開閉可能とした枢着部４,４を介して連結した上、左右支脚３１の中途適所後側の周壁面と、バットスタンド１を開脚、自立させたときに略同じ高さとなる前記主脚２１,２１の中途適所前側の周壁面とを、開脚角度を規制可能とするよう所定長さに設定されたチェーンからなる開脚規制部４１,４１で繋いだものとしている。
【００２７】
このように形成されたバットスタンド１は、主枠部２と副枠部３とを開脚させて自立姿勢としたときに、主枠部２の下横枠２３から副枠部３の横桟３２までの直線距離が、一般的なバットＢのヘッド先端部分からグリップエンド部分までの距離（１０６．７ｃｍ以下）より短く設定されたものとすべきであり、収納操作性を考慮するとヘッド先端部分からグリップの中途適所に至る寸法（約７０ないし８０ｃｍ前後）に設定するのが望ましく、下横枠２３、各ポット部２４,２４……と主脚２１,２１のそれらに近接する範囲、および横桟３２と支脚３１,３１のそれに近接する範囲であって収納や取り出しの際にバットＢが必ず接触する範囲、および接触する可能性の高い範囲には、軟質合成樹脂製、軟質発泡合成樹脂または天然ゴム製等の弾性被覆層を形成したものとなっている。また、主枠部２の主脚２１,２１および副枠部３の支脚３１,３１の各下端には、土や泥の進入を阻止可能とする図示しない接地用キャップや、走行移動を可能とするキャスター等を装着したものとすることができる。
【００２８】
ヘルメットホルダー６は、所定長さに設定された直線棒状であって、その下端にバットスタンド１上横枠２２に下側から係合可能に折曲された鉤部７１を形成してなる２本の主杆７,７が、互いにバットスタンド１の左右支持部５主杆受け５１,５１に夫々掛止可能な左右間隔を隔てて平行状に配置され、バットスタンド１上に設置されたときに、左右主杆受け５１,５１に係合する箇所よりも上側となる左右主杆７,７上側範囲には、同左右主杆７,７間の間隔寸法を超える長さに設定され、装着の対象となるヘルメットＨのバイザー部分を上下間に係合するよう装着可能とする上下間隔を隔てたホルダーパイプ８１,８１が水平且つ平行状に結合されてなるバイザー止め８,８が、上下２段配置となるよう所定間隔を隔てて結合されたものとし、これら合計４本のホルダーパイプ８１,８１,……の左右端には、ホルダーパイプ８１の約１／２の長さに設定され、一端側を各ホルダーパイプ８１,８１,……の端部開口に進退自在に挿入可能とし、他端を伸縮操作枠８４で一体化した４本の延伸用パイプ８３,８３,……からなるバイザー止め延伸部８２,８２を装着したものとなっており、各ホルダーパイプ８１,８１,……およびその近傍の主杆７,７、ならびにバイザー止め延伸部８２,８２の各延伸用パイプ８３,８３,……とその近傍の伸縮操作枠８４,８４等の、ヘルメットＨに接触する範囲および接触する可能性のある範囲には、ヘルメットＨへの傷付き防止のために比較的軟質な合成樹脂、発泡合成樹脂、天然ゴム等の樹脂皮膜を施したものとなっている。
【００２９】
このように形成したバット・ヘルメットストッカーは、図２の一部に変更を加えたバット・ヘルメットストッカーの斜視図中に示すように、バットスタンド１副枠部３側の左右支脚３１,３１の横桟３２と下横桟３３との間となる所定高さ位置に、ヘルメットＨのバイザー部分を装着、保持可能とする上下一対のホルダーパイプ８１,８１を、水平且つ平行状に掛け渡し一体化してバイザー止め８を形成した上、その外周壁面と結合箇所付近の左右支脚３１,３１に、ヘルメットＨへの傷付きを防止する比較的軟質な合成樹脂、発泡合成樹脂、天然ゴム等の樹脂皮膜を形成したものとすることが可能である。                                      
【実施例２】
【００３０】
図３の形状を変更したヘルメットホルダーを有するバット・ヘルメットストッカーの斜視図に示す事例は、前記実施例１中に示したバット・ヘルメットストッカーのヘルメットホルダー６を、一枚の薄板の要所要所がバイザーを挿通可能に刳り貫いて形成されてなるバイザー止め８を有するものとした、この発明に包含されるバット・ヘルメットストッカーにおける他の実施例を示すものであり、当該バット・ヘルメットストッカーは、バットスタンド１およびヘルメットホルダー６の左右主杆７,７の構造が、前記実施例１に示したものと同一なので、変更を加えたバイザー止め８についてのみ以下に示すこととする。
【００３１】
バイザー止め８は、左右の主杆７,７間の寸法を超える長さに設定された上下２枚の長方形状であって、比較的硬質なポリカーボネート製の薄板からなり、左右端が縦枠部分によって一体に連結されたものとしてなり、左右主杆７,７の上側適所に掛け渡すよう一体化されたものとし、それら上下２枚の薄板には、左右方向に沿って複数個のヘルメットＨ,Ｈ,……のバイザー部分を夫々装着可能とするよう、バイザー部分の縦断面形状を貫通可能とする装着孔８５,８５,……を、適宜間隔置き毎に板厚方向に貫通させた上、各装着孔８５,８５,……の開口縁部分を面取りされた肉厚状に形成したものとなっている。各装着孔８５,８５,……の開口縁部分には、バイザー部分をサポート可能なスリーブ状部分を形成したり、バイザー部分を装着可能な器型に形成すること等が可能であり、バイザー部分と接触する範囲に比較的軟質な合成樹脂、発泡合成樹脂、天然ゴム等による被膜層を形成したものとすることができる。
【００３２】
（実施例の作用）
以上のとおりの構成からなる実施例１のバット・ヘルメットストッカーは、保管および運搬の際に、図４の折畳み状態にあるバット・ヘルメットストッカーの斜視図中に示すように、バットスタンド１とヘルメットホルダー６とを分離させた上、バットスタンド１を主枠部２と副枠部３とを枢着部４,４で閉じ合わせるように折り畳むことにより、コンパクトに纏めることが可能であり、球場やグラウンドに搬入して設置する際には、先ずバットスタンド１の主枠部２と副枠部３とを枢着部４,４で前後開脚状に開き、図１中に示すように自立させることとなるが、その開脚角度はチェーンからなる左右の開脚規制部４１,４１によって制限され、確実に最適な開脚角度に設定されるものとなる。
【００３３】
このようにバットスタンド１を地上に自立させた後、同図１中に示すように、ヘルメットホルダー６左右主杆７,７下端の各鉤部７１,７１を、該バットスタンド１支持部５の一部を兼ねた上横枠２２に下側から係合させると共に、同主杆７,７の各中途箇所を、同支持部５の主杆受け５１,５１に立て掛けた状態に装着したものとすることによってバットスタンド1上に、ヘルメットホルダー６の上端を後側に所定角度傾斜させた姿勢で連結したものとなる。
【００３４】
こうして組み立てられたバット・ヘルメットストッカーは、図５の使用状態にあるバット・ヘルメットストッカーの斜視図中に示すように、チームが使用する複数本のバットＢ,Ｂ,……を、夫々のヘッド部分が各ポット部２４,２４,……に挿入され、各先端が下横枠２３に当接して保持されるものとなり、各グリップ部分の中途箇所が、横桟３２上に掛止され、斜めに保持された姿勢で左右方向に並べて収納することが可能であり、また複数個のヘルメットＨ,Ｈ,……を、上下のバイザー止め８,８の各一対のホルダーパイプ８１,８１間にバイザー部分を挿し込むようにして係合、保持させて左右方向に並べて収納することが可能であって、さらに、左右のバイザー止め延伸部８２,８２を各伸縮操作枠８４,８４を把持する等して延伸させることにより、ヘルメットＨの収納箇所が即座に増設され、露出状となった各対の延伸用パイプ８３,８３,……間にも同様にバイザー部分を挿し込んで整理、収納することが可能となる。
【００３５】
当該バット・ヘルメットストッカーのバットＢ,Ｂ,……やヘルメットＨ,Ｈ,……の収納箇所およびその周辺には、図示していないが軟質合成樹脂等による被膜層が形成されているので、収納や取り出しに際してそれらに傷付けることを防止するものとなり、しかもヘルメットＨ,Ｈ,……を、バットＢ,Ｂ,……よりも高い所に保持するので、砂塵等の埃の付着を最小限に留めることが可能である上、収納されたヘルメットＨ,Ｈ,……およびバットＢ,Ｂ,……が前面に整然と配列されるので、各選手が自分のヘルメットＨとバットＢとを一目で確認し、取り出すことが可能である。さらに、このバット・ヘルメットストッカーは、図２中に示したように、副枠部３横桟３２の下側にも、バイザー止め８を設けたものとすることにより、さらに多くのヘルメットＨ,Ｈ,……を収容できるものとすることができる。
【００３６】
図３中に示した、この発明に包含される実施例２のヘルメットストッカーは、その分解、折畳みと組立て作業とを、前述の実施例１に示したものと同様に行うことが可能であり、薄板状に形成したバイザー止め８,８は、ポリカーボネート製としたことにより軽量化される上、外観デザインに変化を与えて商品価値を高めたものとすることが可能である。
【００３７】
（実施例の効果）
以上のような構成からなる実施例１のバット・ヘルメットストッカーは、前記この発明の効果の項で記載の特徴に加え、図１および図５中に示したように、ヘルメットホルダー６の左右にバイザー止め延伸部８２,８２を長さ調節自在に装着したことにより、ヘルメットＨ,Ｈ,……の収納力を拡大させることができ、図２中に示すようにバットスタンド１副枠部３の横桟３２の下側にバイザー止め８を増設したものとすることにより、さらに多くのヘルメットＨ,Ｈ,……を収納可能にすることができる。
【００３８】
また、バットＢ,Ｂ,……とヘルメットＨ,Ｈ,……とを装着する箇所とその周辺に、軟質合成樹脂や軟質発泡合成樹脂、天然ゴム等による弾性被覆処理を施したことにより、収納や取り出しの際に接触による傷付きの発生を防止することができる上、適度な摩擦力を有して、滑りによる倒れや落下等を予防できるという効果を発揮するものとなる。
【００３９】
さらに、図３中に示したように、バイザー止め８,８を合成樹脂製の薄板からなるものとし、要所要所にバイザーを挿通可能に刳り貫いたものとしたことにより、軽量且つ携行にも便利なものとすることができる上、薄板自体の色に変化を与えたり、透明化したり、野球やソフトボールをイメージする絵や模様、広告等を表示する等、多彩なバリエーションを発展させることができる外、各ヘルメットＨ,Ｈ,……の装着孔８５,８５,……毎に、背番号等の表示欄を形成することができるものになる。
【００４０】
（結  び）
叙述の如く、この発明のバット・ヘルメットストッカーは、その新規な構成によって所期の目的を遍く達成可能とするものであり、しかも製造も容易で、適正な素材を選択することによって経済的に生産し、比較的低廉に市場提供できるものとなり、運搬、収納の際には分解と折畳みとによってコンパクト化でき、設置の際の展開および組立て作業も誰にでも簡便で、即座に使用することができる上、収納した複数のヘルメットおよびバットの全てを、前面に整然と配列するものとしたことにより、自分が使う用具類を各選手が一目で確認することが可能となり、素早く間違いの無い取り出しを実現し、次打席の準備を簡潔なものとして試合の流れに集中できるものになるという、従来型のバットスタンドでは到底得ることのできない秀れた特徴を有するものであり、従前までのバットスタンド類に満足できなかった職場野球やモーニング野球、草野球等に参加する人々によって高く評価され、簡易的なグランドを運営する企業や地方自治体等の外、スポーツ用品を取り扱う店舗や卸業者等によってその高い実用性が認められ、多方面に渡って広範に利用、普及していくものになると予想される。                                                                  
【図面の簡単な説明】
【００４１】
図面は、この発明のバット・ヘルメットストッカーの技術的思想を具現化した代表的な幾つかの実施例を示すものである。
【図１】組立てられ自立状態にあるバット・ヘルメットストッカーを示す斜視図である。
【図２】バイザー止めを増設したバット・ヘルメットストッカーを示す斜視図である。
【図３】バイザー止めに変更を加えたバット・ヘルメットストッカーを示す斜視図である。
【図４】分解、折畳み状態のバット・ヘルメットストッカーを示す斜視図である。
【図５】バット・ヘルメットストッカーの利用状態を示す斜視図である。
【符号の説明】
【００４２】
１      バットスタンド
２      主枠部
２１    同  主脚
２２    同  上横枠
２３    同  下横枠
２４    同  ポット部
３      副枠部
３１    同  支脚
３２    同  横桟
３３    同  下横桟
４      枢着部
４１    同  開脚規制部
５      支持部
（２２    同  上横枠）
５１    同  主杆受け
６      ヘルメットホルダー
７      主杆
７１    同  鉤部
８      バイザー止め
８１    同  ホルダーパイプ
８２    同  バイザー止め延伸部
８３    同  延伸用パイプ
８４    同  伸縮操作枠
８５    同  装着孔
Ｂ      バット
Ｈ      ヘルメット
【図１】
2006325789.tif 000003
【図２】
2006325789.tif 000004
【図３】
2006325789.tif 000005
【図４】
2006325789.tif 000006
【図５】
2006325789.tif 000007